【手続補正書】
【提出日】平成17年4月27日(2005.4.27)
【手続補正１】
【補正対象書類名】明細書
【補正対象項目名】発明の名称
【補正方法】変更
【補正の内容】
【発明の名称】パネルの基板とフレキシブル配線板の接続構成及びそれを用いた液晶表示装置
【手続補正２】
【補正対象書類名】明細書
【補正対象項目名】特許請求の範囲
【補正方法】変更
【補正の内容】
【特許請求の範囲】
【請求項１】
第１基板と第２基板の間に液晶を封止したパネルの第１基板の基板端から延出した第２基板の延出部にフレキシブル配線板が接続された構成を有するパネルの基板とフレキシブル配線板の接続構成において、
前記第１基板の前記基板端に向かってＩＣの一の側方に一の前記フレキシブル基板がＩＣに対して横並びに位置し前記延出部の上に配設したことを特徴とするパネルの基板とフレキシブル配線板の接続構成。
【請求項２】
電極を有する第１基板と第２基板を間隙を設けて対向させて配置し前記間隙に液晶をシール部材で封止し前記第２基板の配線電極と前記第１基板の電極とが導通部材で導通しており第１基板の基板端から延出した第２基板の延出部にフレキシブル配線板が接続される構成を有するパネルのパネルの基板とフレキシブル配線板の接続構成において、
前記延出部上に前記第１基板の前記基板端に向かって前記フレキシブル基板と横並びに配設すると共に前記フレキシブル基板より前記導通部材側近くにＩＣを配設したことを特徴とするパネルの基板とフレキシブル配線板の接続構成。
【請求項３】
前記延出部の幅が前記第１基板の幅とほぼ同じであることを特徴とする請求項１または２に記載のパネルの基板とフレキシブル配線板の接続構成。
【請求項４】
前記延出部上の前記フレキシブル基板の先端が、前記ＩＣの前記第２基板の基板端側の辺と前記第１基板の基板端との間の前記延出部上に配設されたことを特徴とする請求項１または２または３に記載のパネルの基板とフレキシブル配線板の接続構成。
【請求項５】
前記延出部上の前記フレキシブル基板の先端が、前記ＩＣの前記第２基板の基板端側の辺と前記ＩＣの前記第１基板側の辺との間の前記延出部上に配設されたことを特徴とする請求項１または２または３に記載のパネルの基板とフレキシブル配線板の接続構成。
【請求項６】
前記延出部上の前記フレキシブル基板の先端が、前記ＩＣの前記第１基板側の辺と前記第２基板端との間の前記延出部上に配設されたことを特徴とする請求項１または２または３に記載のパネルの基板とフレキシブル配線板の接続構成。
【請求項７】
前記パネルが液晶パネルであることを特徴とする求項１乃至６のいずれか一に記載のパネルの基板とフレキシブル配線板の接続構成。
【請求項８】
請求項１乃至７のいずれかの一におけるパネルの基板とフレキシブル配線板の接続構成を用いた液晶表示装置。
【手続補正３】
【補正対象書類名】明細書
【補正対象項目名】０００２
【補正方法】変更
【補正の内容】
【０００２】
【従来の技術】
従来の液晶表示装置において、液晶表示パネルと、該液晶表示パネルを外部回路により制御し駆動する外部回路基板との間をフレキシブル配線板を使用して接続する方法が従来から用いられている。以下、従来の技術について、図面を参照しながら説明する。図８は、従来のフレキシブル配線板と液晶表示パネルを接続した液晶表示装置の斜視図を示し、図９は図８におけるＣ−Ｃ断面図を示している。図８及び図９において、液晶表示装置１００は、透明フイルム又は透明ガラスよりなる透明基板の上に直線状の電極である第１電極５４を平行に配設し、さらに第１電極５４の上面に配向膜（図示せず）を形成して第１透明基板５０を形成する。また透明フイルム又は透明ガラスよりなる基板の上に直線状の電極である第２電極７４を平行に配設し、さらに第２電極７４の上に配向膜（図示せず）を形成して第２透明基板７０を形成した透明基板を有し、第１透明基板５０に配設された第１電極５４と第２透明基板７０に配設された第２電極７４とが直交し対向するように第１透明基板５０と第２透明基板７０とを間隙を設けて配置され、前記間隙の周囲にはシール８２が配設され、シール８２の内側の間隙には液晶８４が封入された構成を形成している。また、第１透明基板５０の上面に平行に配設された第１電極５４を第２透明基板７０に配設された第２電極７４に対して接続するために、トランスファー６０が設けられている。
【手続補正４】
【補正対象書類名】明細書
【補正対象項目名】０００６
【補正方法】変更
【補正の内容】
【０００６】
【課題を解決するための手段】
上記課題を解決するための本発明の第１の手段は、第１基板と第２基板の間に液晶を封止したパネルの第１基板の基板端から延出した第２基板の延出部にフレキシブル配線板が接続された構成を有するパネルの基板とフレキシブル配線板の接続構成において前記第１基板の前記基板端に向かってＩＣの一の側方に一の前記フレキシブル基板がＩＣに対して横並びに位置し前記延出部の上に配設したことを特徴とするパネルの基板とフレキシブル配線板の接続構成である。
【手続補正５】
【補正対象書類名】明細書
【補正対象項目名】０００７
【補正方法】変更
【補正の内容】
【０００７】
上記課題を解決するための本発明の第２の手段は、電極を有する第１基板と第２基板を間隙を設けて対向させて配置し前記間隙に液晶をシール部材で封止し前記第２基板の配線電極と前記第１基板の電極とが導通部材で導通しており第１基板の基板端から延出した第２基板の延出部にフレキシブル配線板が接続される構成を有するパネルのパネルの基板とフレキシブル配線板の接続構成において、前記延出部上に前記第１基板の前記基板端に向かって前記フレキシブル基板と横並びに配設すると共に前記フレキシブル基板より前記導通部材側近くにＩＣを配設したことを特徴とするパネルの基板とフレキシブル配線板の接続構成である。
【手続補正６】
【補正対象書類名】明細書
【補正対象項目名】０００８
【補正方法】変更
【補正の内容】
【０００８】
上記課題を解決するための本発明の第３の手段は、上記本発明の第１または第２の手段において前記延出部の幅が前記第１基板の幅とほぼ同じであることを特徴とするパネルの基板とフレキシブル配線板の接続構成である。
【手続補正７】
【補正対象書類名】明細書
【補正対象項目名】０００９
【補正方法】変更
【補正の内容】
【０００９】
上記課題を解決するための本発明の第４の手段は、上記本発明の第１または第２または第３の手段において前記延出部上の前記フレキシブル基板の先端が、前記ＩＣの前記第２基板の基板端側の辺と前記第１基板の基板端との間の前記延出部上に配設されたことを特徴とするパネルの基板とフレキシブル配線板の接続構成である。
上記課題を解決するための本発明の第５の手段は、上記本発明の第１または第２または第３の手段において前記延出部上の前記フレキシブル基板の先端が、前記ＩＣの前記第２基板の基板端側の辺と前記第１基板側の辺との間の前記延出部上に配設されたことを特徴とするパネルの基板とフレキシブル配線板の接続構成である。
上記課題を解決するための本発明の第６の手段は、上記本発明の第１または第２または第３の手段において前記延出部上の前記フレキシブル基板の先端が、前記ＩＣの前記第１基板側の辺と前記第２基板端との間の前記延出部上に配設されたことを特徴とするパネルの基板とフレキシブル配線板の接続構成である。
【手続補正８】
【補正対象書類名】明細書
【補正対象項目名】００１０
【補正方法】変更
【補正の内容】
【００１０】
上記課題を解決するための本発明の第７の手段は、上記本発明の第１乃至第６のいずれか一の手段において前記パネルが液晶パネルであることを特徴とするパネルの基板とフレキシブル配線板の接続構成である。
【手続補正９】
【補正対象書類名】明細書
【補正対象項目名】００１１
【補正方法】変更
【補正の内容】
【００１１】
上記課題を解決するための本発明の第８の手段は、上記本発明の第１乃至第７のいずれか一の手段におけるパネルの基板とフレキシブル配線板の接続構成を用いた液晶表示装置である。
【手続補正１０】
【補正対象書類名】明細書
【補正対象項目名】００１３
【補正方法】変更
【補正の内容】
【００１３】
図１において、液晶表示装置１は、透明フイルム又は透明ガラスよりなる透明基板の上に、図５または図６または図７に示すように直線状の電極である第１電極５４を平行に配設し、さらに図２に示すように第１電極５４の上面に配向膜（図示せず）を形成して第１透明基板５０を形成する。また透明フイルム又は透明ガラスよりなる基板の上に、図５に示す直線状の電極である第２電極７４を平行に配設し、さらに第２電極７４の上に図２に示す配向膜（図示せず）を形成して第２透明基板７０を形成した透明基板を有し、第１透明基板５０に配設された第１電極５４と第２透明基板７０に配設された第２電極７４とが図５に示すように直交し対向するように第１透明基板５０と第２透明基板７０とを間隙を設けて配置され、前記間隙の周囲にはシール８２が配設され、シール８２の内側の間隙には液晶８４が封入された構成を形成している。また、図２に示すように第１透明基板５０の上面に平行に配設された第１電極５４を第２透明基板７０に配設された駆動ＩＣ８０と接続するために、第１透明基板５０と第２透明基板７０の間に導通部材であるトランスファー６０が設けられている。
【手続補正１１】
【補正対象書類名】明細書
【補正対象項目名】００２１
【補正方法】変更
【補正の内容】
【００２１】
以上のように、本発明に係る実施例を具体的に説明したが、本発明は、前記実施例に限定されるものではなく、透明基板の上に駆動ＩＣを実装したＣＯＧ技術以外であるポリシリコンにより駆動回路を透明基板に配設した技術やＣＯＧとＴＡＢ、ＴＣＰを組合わせた技術にも本発明を用いることで本発明と同様な効果を得ることができる。
このような本発明は少なくとも一面に透明電極を形成した第１透明基板と第２透明基板の液晶駆動用の透明電極面を相対向させ間隙を設けて配置し、周辺をシール部材でシールし、該シール部材の内部に液晶を封入してなる液晶表示装置において、前記第２透明基板の延出部に接続する駆動ＩＣとフレキシブル配線板とを並列に配置し透明基板上の配線電極と接続したことを特徴とする液晶表示装置でもある。また、少なくとも一面に透明電極を形成した第１透明基板と第２透明基板の液晶駆動用の透明電極面を相対向させ間隙を設
けて配置し、周辺をシール部材でシールし、該シール部材の内部に液晶を封入してなる液晶表示装置において、前記第１透明基板の透明電極配線は透明基板端部近傍から導通部材を介して第２透明基板上に電極配線が延長されており、前記第２透明基板の延出部に配設し第２透明基板上の電極配線と接続する駆動ＩＣが前記導通部材側に配設し、また液晶表示装置と外部回路とを接続するフレキシブル配線基板が前記駆動ＩＣを挟んで前記導通部材側と反対側に配設したことを特徴とする液晶表示装置でもある。また、前記フレキシブル配線基板の液晶側端部が前記駆動ＩＣの液晶側端部より液晶側に突出して配設されていることを特徴として有する。また、前記フレキシブル配線基板の液晶側端部が前記駆動ＩＣの幅の間に配設したことを特徴として有する。また、前記フレキシブル配線基板の液晶側端部が前記駆動ＩＣの前記液晶側端部と反対側の端部と、前記第２透明基板端部との間に配設したことを特徴として有する。また、前記第２透明基板の延出部に接続するフレキシブル配線板は、第２透明基板の透明電極面に対して異方性導電接着剤を介して電気的且つ機械的に接続したことを特徴として有する。